【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】画像読取装置、データ管理装置、キーワード付加プログラムおよびデータ管理プログラム
【手続補正２】
【補正対象書類名】明細書
【補正対象項目名】特許請求の範囲
【補正方法】変更
【補正の内容】
【特許請求の範囲】
【請求項１】
画像データとその画像データの検索に用いられるキーワードとを関連付けて記憶するデータ管理装置に接続可能な画像読取装置であって、
原稿を読取って画像データを取得する画像読取手段と、
前記取得された画像データを縮小する縮小画像生成手段と、
前記縮小された画像データを前記データ管理装置に送信する縮小画像送信手段と、
前記データ管理装置からキーワード候補を受信するキーワード候補受信手段と、
前記受信したキーワード候補を表示して前記画像データに対応するキーワードの指定を受付ける指定受付手段と、
前記指定されたキーワードと前記画像読取手段により取得された画像データとを前記データ管理装置に送信する画像データ送信手段とを備えた、画像読取装置。
【請求項２】
前記縮小された画像データの所定の領域をユーザに指定させるための指定領域受付手段をさらに含み、
前記縮小画像送信手段は、前記指定された領域の情報をさらに送信する、請求項１に記載の画像読取装置。
【請求項３】
前記データ管理装置から受信されるキーワード候補の上限数をユーザに指定させるための上限数入力手段をさらに含み、
前記縮小画像送信手段は、前記指定された上限数をさらに送信する、請求項１に記載の画像読取装置。
【請求項４】
前記キーワード候補受信手段は、前記キーワード候補に対応する関連度をさらに受信し、
前記指定受付手段は、前記キーワード候補に関連付けて前記関連度を表示する、請求項１に記載の画像読取装置。
【請求項５】
原稿を読取って画像データを取得する画像読取装置と通信可能なデータ管理装置であって、
前記画像読取装置から第１の画像データを受信すると、前記受信された第１の画像データから画像特徴量を抽出する抽出手段と、
前記抽出された画像特徴量に基づき、前記第１の画像データに対応するキーワード候補を抽出するキーワード候補抽出手段と、
前記抽出されたキーワード候補を前記画像読取装置へ送信するキーワード候補送信手段と、
第２の画像データと前記キーワード候補の中から前記画像読取装置のユーザにより指定されたキーワードとを前記画像読取装置から受信すると、前記受信された第２の画像データとキーワードとを関連付けて記憶する記憶手段とを備えた、データ管理装置。
【請求項６】
前記キーワード候補抽出手段は、前記キーワード候補に対応する関連度を算出する関連度算出手段を含み、
前記キーワード候補送信手段は、前記算出された関連度の高い順に前記キーワード候補を並び替えて送信する、請求項５に記載のデータ管理装置。
【請求項７】
前記キーワード候補送信手段は、前記データ管理装置からキーワード候補の上限数を受信した場合には、前記算出された関連度の高い順に前記受信された上限数のキーワード候補を送信する、請求項５に記載のデータ管理装置。
【請求項８】
前記第１の画像データは、前記第２の画像データよりもサイズが小さい、請求項５に記載のデータ管理装置。
【請求項９】
画像データとその画像データの検索に用いられるキーワードとを関連付けて記憶するデータ管理装置に接続可能な画像読取装置で実行されるキーワード付加プログラムであって、
原稿を読取って画像データを取得するステップと、
前記取得された画像データを縮小するステップと、
前記縮小された画像データを前記データ管理装置に送信するステップと、
前記データ管理装置からキーワード候補を受信するステップと、
前記受信したキーワード候補を表示して前記画像データに対応するキーワードの指定を受付けるステップと、
前記指定されたキーワードと前記取得された画像データとを前記データ管理装置に送信するステップとを実行させる、キーワード付加プログラム。
【請求項１０】
原稿を読取って画像データが取得する画像読取装置と通信可能なデータ管理装置で実行されるデータ管理プログラムであって、
前記画像読取装置から第１の画像データを受信するステップと、
前記受信された第１の画像データから画像特徴量を抽出するステップと、
前記抽出された画像特徴量に基づき、前記第１の画像データに対応するキーワード候補を抽出するステップと、
前記抽出されたとキーワード候補を前記画像読取装置へ送信するステップと、
第２の画像データと前記キーワード候補の中から前記画像読取装置のユーザにより指定されたキーワードとを前記画像読取装置から受信するステップと、
前記受信された第２の画像データとキーワードとを関連付けて記憶するステップとを実行させる、データ管理プログラム。
【請求項１１】
画像データを入力する画像データ入力装置と通信可能なコンピュータにおいて実行されるデータ管理プログラムであって、
画像データ入力装置において元の画像データのデータ量を減少させた画像データパケットを受取るステップと、
前記受取った画像データに対応するキーワードを１つまたは複数個抽出するステップと、
前記抽出されたキーワードを前記画像データ入力装置へ送信するステップとを実行させるデータ管理プログラム。
【請求項１２】
前記画像データ入力装置において選択されたキーワードと、キーワードが対応付けされた前記元の画像データとを、前記画像データ入力装置から受取り、画像データとキーワードを関連付けて記憶するステップをさらに含む、請求項１１に記載のデータ管理プログラム。
【請求項１３】
キーワードの抽出は、キーワードのデータベースを参照してキーワードを抽出する、請求項１１に記載のデータ管理プログラム。
【請求項１４】
キーワードの抽出は、受取った画像データのうち指定された領域の画像データに基づいてキーワードの抽出を行う、請求項１１に記載のデータ管理プログラム。
【請求項１５】
抽出されたキーワードを、キーワードと画像の関連度の順に従って、画像入力装置へ送信する、請求項１１に記載のデータ管理プログラム。
【手続補正３】
【補正対象書類名】明細書
【補正対象項目名】０００１
【補正方法】変更
【補正の内容】
【０００１】
【発明の属する技術分野】
この発明は画像読取装置、データ管理装置、キーワード付加プログラムおよびデータ管理プログラムに関し、特に、原稿を読取って得られる画像データにキーワードを付与してデータ管理装置に送信する画像読取装置、画像データとその画像データの検索に用いられるキーワードとを関連付けて記憶するデータ管理装置、キーワード付加プログラムおよびデータ管理プログラムに関する。
【手続補正４】
【補正対象書類名】明細書
【補正対象項目名】００１７
【補正方法】変更
【補正の内容】
【００１７】
この発明に従えば、画像読取装置から第１の画像データが受信されると、第１の画像データから画像特徴量が抽出され、抽出された画像特徴量に基づき、第１の画像データに対応するキーワード候補が抽出され、キーワード候補が画像読取装置に送信される。そして、第２の画像データとキーワード候補の中から画像読取装置のユーザにより指定されたキーワードとが受信されると、第２の画像データと指定されたキーワードとが関連付けて記憶される。このため、キーワード候補がデータ管理装置で一元的に抽出される。また、第１の画像データを縮小された画像データとすれば、受信するデータ量が少なくなる。さらに、第２の画像データに一元的に抽出されたキーワード候補の中からユーザにより指定されたキーワードが関連付けて記憶されるので、画像読取装置で原稿を読取る段階で一元的にキーワードを付与することが可能なデータ管理装置を提供することができる。
好ましくは、前記キーワード候補抽出手段は、前記キーワード候補に対応する関連度を算出する関連度算出手段を含み、前記キーワード候補送信手段は、前記算出された関連度の高い順に前記キーワード候補を並び替えて送信する。
好ましくは、キーワード候補送信手段は、データ管理装置からキーワード候補の上限数を受信した場合には、算出された関連度の高い順に受信された上限数のキーワード候補を送信する。
好ましくは、第１の画像データは、第２の画像データよりもサイズが小さい。
この発明の他の局面によれば、キーワード付加プログラムは、画像データとその画像データの検索に用いられるキーワードとを関連付けて記憶するデータ管理装置に接続可能な画像読取装置で実行されるキーワード付加プログラムであって、原稿を読取って画像データを取得するステップと、前記取得された画像データを縮小するステップと、前記縮小された画像データを前記データ管理装置に送信するステップと、前記データ管理装置からキーワード候補を受信するステップと、前記受信したキーワード候補を表示して前記画像データに対応するキーワードの指定を受付けるステップと、前記指定されたキーワードと前記取得された画像データとを前記データ管理装置に送信するステップとを実行させる。
この発明の他の局面によれば、データ管理プログラムは、原稿を読取って画像データが取得する画像読取装置と通信可能なデータ管理装置で実行されるデータ管理プログラムであって、前記画像読取装置から第１の画像データを受信するステップと、前記受信された第１の画像データから画像特徴量を抽出するステップと、前記抽出された画像特徴量に基づき、前記第１の画像データに対応するキーワード候補を抽出するステップと、前記抽出されたとキーワード候補を前記画像読取装置へ送信するステップと、第２の画像データと前記キーワード候補の中から前記画像読取装置のユーザにより指定されたキーワードとを前記画像読取装置から受信するステップと、前記受信された第２の画像データとキーワードとを関連付けて記憶するステップとを実行させる。
この発明の他の局面によれば、データ管理プログラムは、画像データを入力する画像データ入力装置と通信可能なコンピュータにおいて実行されるデータ管理プログラムであって、画像データ入力装置において元の画像データのデータ量を減少させた画像データパケットを受取るステップと、前記受取った画像データに対応するキーワードを１つまたは複数個抽出するステップと、前記抽出されたキーワードを前記画像データ入力装置へ送信するステップとを実行させる。
好ましくは、画像データ入力装置において選択されたキーワードと、キーワードが対応付けされた前記元の画像データとを、画像データ入力装置から受取り、画像データとキーワードを関連付けて記憶するステップを含む。
好ましくは、キーワードのデータベースを参照してキーワードを抽出する。
好ましくは、キーワードの抽出は、受取った画像データのうち指定された領域の画像データに基づいてキーワードの抽出を行う。
好ましくは、抽出されたキーワードを、キーワードと画像の関連度の順に従って、画像入力装置へ送信する。